【手続補正書】
【提出日】平成18年9月26日(2006.9.26)
【手続補正１】
【補正対象書類名】明細書
【補正対象項目名】特許請求の範囲
【補正方法】変更
【補正の内容】
【特許請求の範囲】
【請求項１】
原稿画像をＲＧＢ毎にライン単位でスキャンして順次読み取るカラー画像読取装置であって、
各々主走査方向に延在し、かつ、互いに所定ライン間隔離れて並列に配置され、前記原稿画像をＲＧＢ毎にライン単位で読み取って、読み取った画像に対応するＲＧＢのアナログ信号を出力するＲＧＢの３ラインイメージセンサと、
この３ラインイメージセンサに沿って主走査方向に延在し、前記原稿画像を照射する光源と、
前記原稿画像と前記３ラインイメージセンサおよび前記光源とを前記主走査方向にほぼ直行する副走査方向に相対的に搬送する搬送手段と、
前記ＲＧＢのアナログ信号を各々対応するＲＧＢのデジタル信号に変換するＡ／Ｄ変換器と、
前記ＲＧＢのデジタル信号を一時的に保持して、当該ＲＧＢのデジタル信号の出力タイミングを調整するための補正用メモリと、
前記ＲＧＢのデジタル信号の前記補正用メモリへの書き込み、および、前記補正用メモリからの前記ＲＧＢのデジタル信号の読み出しを制御するメモリコントローラとを備え、
当該メモリコントローラは、同時に供給される互いに前記所定ライン間隔離れたラインの同一画素位置のＲＧＢのデジタル信号について、同一ラインの同一画素位置のＲＧＢのデジタル信号を連続するメモリアドレスに書き込むように前記補正用メモリを制御することを特徴とするカラー画像読取装置。
【請求項２】
前記Ａ／Ｄ変換器は、前記ＲＧＢのデジタル信号を前記所定ラインに対応する時間だけずれたタイミングで出力し、
前記メモリコントローラは、まず、前記ＲＧＢのデジタル信号の内の、最初に有効な前記デジタル信号が得られる色の信号を、前記補正用メモリの、前記ＲＧＢのデジタル信号の内の２番目および３番目に有効な前記デジタル信号が得られる色の信号を書き込むためのアドレスをとばしたアドレスに書き込み、
次に、前記最初に有効な信号が得られる色の信号を、前記所定ライン分書き込んだ後、前記２番目に有効な信号が得られる色の信号を、前記最初に得られる色の信号を書き込んだ前記アドレスの隣のアドレスに書き込み、
さらに、前記２番目に有効な信号が得られる色の信号を、前記所定ライン分だけ書き込んだ後、前記３番目に有効な信号が得られる色の信号を、前記２番目に得られる色の信号を書き込んだアドレスの隣のアドレスに書き込むことにより、同一ラインの同一画素位置のＲＧＢのデジタル信号を連続するメモリアドレスに書き込むように前記補正用メモリを制御することを特徴とする請求項１記載のカラー画像読取装置。
【請求項３】
所定ライン間隔のラインギャップを有する３ラインイメージセンサで読み取られた原稿画像に対応するＲＧＢのデジタル信号を、補正用メモリを用いてラインギャップを補正して出力するカラー画像読取装置において、前記ＲＧＢのデジタル信号の前記補正用メモリへの書き込み、および、前記補正用メモリからの前記ＲＧＢのデジタル信号の読み出しを制御するメモリコントローラであって、
同時に供給される互いに前記所定ライン間隔離れたラインの同一画素位置のＲＧＢのデジタル信号について、同一ラインの同一画素位置のＲＧＢのデジタル信号を連続するメモリアドレスに書き込むように前記補正用メモリを制御することを特徴とするメモリコントローラ。
【請求項４】
前記ＲＧＢのデジタル信号を前記所定ラインに対応する時間だけずれたタイミングで受信し、
まず、前記ＲＧＢのデジタル信号の内の、最初に有効な前記デジタル信号が得られる色の信号を、前記補正用メモリの、前記ＲＧＢのデジタル信号の内の２番目および３番目に有効な前記デジタル信号が得られる色の信号を書き込むためのアドレスをとばしたアドレスに書き込み、
次に、前記最初に有効な信号が得られる色の信号を、前記所定ライン分書き込んだ後、前記２番目に有効な信号が得られる色の信号を、前記最初に得られる色の信号を書き込んだ前記アドレスの隣のアドレスに書き込み、
さらに、前記２番目に有効な信号が得られる色の信号を、前記所定ライン分だけ書き込んだ後、前記３番目に有効な信号が得られる色の信号を、前記２番目に得られる色の信号を書き込んだアドレスの隣のアドレスに書き込むことにより、同一ラインの同一画素位置のＲＧＢのデジタル信号を連続するメモリアドレスに書き込むように前記補正用メモリを制御することを特徴とする請求項３記載のメモリコントローラ。
【手続補正２】
【補正対象書類名】明細書
【補正対象項目名】００１０
【補正方法】変更
【補正の内容】
【００１０】
【課題を解決するための手段】
上記目的を達成するために、本発明は、原稿画像をＲＧＢ毎にライン単位でスキャンして順次読み取るカラー画像読取装置であって、
各々主走査方向に延在し、かつ、互いに所定ライン間隔離れて並列に配置され、前記原稿画像をＲＧＢ毎にライン単位で読み取って、読み取った画像に対応するＲＧＢのアナログ信号を出力するＲＧＢの３ラインイメージセンサと、
この３ラインイメージセンサに沿って主走査方向に延在し、前記原稿画像を照射する光源と、
前記原稿画像と前記３ラインイメージセンサおよび前記光源とを前記主走査方向にほぼ直行する副走査方向に相対的に搬送する搬送手段と、
前記ＲＧＢのアナログ信号を各々対応するＲＧＢのデジタル信号に変換するＡ／Ｄ変換器と、
前記ＲＧＢのデジタル信号を一時的に保持して、当該ＲＧＢのデジタル信号の出力タイミングを調整するための補正用メモリと、
前記ＲＧＢのデジタル信号の前記補正用メモリへの書き込み、および、前記補正用メモリからの前記ＲＧＢのデジタル信号の読み出しを制御するメモリコントローラとを備え、
当該メモリコントローラは、同時に供給される互いに前記所定ライン間隔離れたラインの同一画素位置のＲＧＢのデジタル信号について、同一ラインの同一画素位置のＲＧＢのデジタル信号を連続するメモリアドレスに書き込むように前記補正用メモリを制御することを特徴とするカラー画像読取装置を提供するものである。
ここで、前記Ａ／Ｄ変換器は、前記ＲＧＢのデジタル信号を前記所定ラインに対応する時間だけずれたタイミングで出力し、
前記メモリコントローラは、まず、前記ＲＧＢのデジタル信号の内の、最初に有効な前記デジタル信号が得られる色の信号を、前記補正用メモリの、前記ＲＧＢのデジタル信号の内の２番目および３番目に有効な前記デジタル信号が得られる色の信号を書き込むためのアドレスをとばしたアドレスに書き込み、
次に、前記最初に有効な信号が得られる色の信号を、前記所定ライン分書き込んだ後、前記２番目に有効な信号が得られる色の信号を、前記最初に得られる色の信号を書き込んだ前記アドレスの隣のアドレスに書き込み、
さらに、前記２番目に有効な信号が得られる色の信号を、前記所定ライン分だけ書き込んだ後、前記３番目に有効な信号が得られる色の信号を、前記２番目に得られる色の信号を書き込んだアドレスの隣のアドレスに書き込むことにより、同一ラインの同一画素位置のＲＧＢのデジタル信号を連続するメモリアドレスに書き込むように前記補正用メモリを制御することが好ましい。
【手続補正３】
【補正対象書類名】明細書
【補正対象項目名】００１１
【補正方法】変更
【補正の内容】
【００１１】
また、本発明は、所定ライン間隔のラインギャップを有する３ラインイメージセンサで読み取られた原稿画像に対応するＲＧＢのデジタル信号を、補正用メモリを用いてラインギャップを補正して出力するカラー画像読取装置において、前記ＲＧＢのデジタル信号の前記補正用メモリへの書き込み、および、前記補正用メモリからの前記ＲＧＢのデジタル信号の読み出しを制御するメモリコントローラであって、
同時に供給される互いに前記所定ライン間隔離れたラインの同一画素位置のＲＧＢのデジタル信号について、同一ラインの同一画素位置のＲＧＢのデジタル信号を連続するメモリアドレスに書き込むように前記補正用メモリを制御することを特徴とするメモリコントローラを提供するものである。
ここで、前記ＲＧＢのデジタル信号を前記所定ラインに対応する時間だけずれたタイミングで受信し、
まず、前記ＲＧＢのデジタル信号の内の、最初に有効な前記デジタル信号が得られる色の信号を、前記補正用メモリの、前記ＲＧＢのデジタル信号の内の２番目および３番目に有効な前記デジタル信号が得られる色の信号を書き込むためのアドレスをとばしたアドレスに書き込み、
次に、前記最初に有効な信号が得られる色の信号を、前記所定ライン分書き込んだ後、前記２番目に有効な信号が得られる色の信号を、前記最初に得られる色の信号を書き込んだ前記アドレスの隣のアドレスに書き込み、
さらに、前記２番目に有効な信号が得られる色の信号を、前記所定ライン分だけ書き込んだ後、前記３番目に有効な信号が得られる色の信号を、前記２番目に得られる色の信号を書き込んだアドレスの隣のアドレスに書き込むことにより、同一ラインの同一画素位置のＲＧＢのデジタル信号を連続するメモリアドレスに書き込むように前記補正用メモリを制御することが好ましい。
【手続補正４】
【補正対象書類名】明細書
【補正対象項目名】００２０
【補正方法】変更
【補正の内容】
【００２０】
メモリコントローラ３０は、画像処理部２８から供給されるＲＧＢのデジタル信号の補正用メモリ３２への書き込み、および、補正用メモリ３２からのＲＧＢのデジタル信号の読み出しを制御する。メモリコントローラ３０は、同時に供給される互いに所定ライン間隔離れたラインの同一画素位置のＲＧＢのデジタル信号について、同一ラインの同一画素位置のＲＧＢのデジタル信号を連続するアドレスに書き込むように補正用メモリ３２を制御する。
【手続補正５】
【補正対象書類名】明細書
【補正対象項目名】００２８
【補正方法】変更
【補正の内容】
【００２８】
つまり、概念的に、例えば原稿画像１２のライン方向を、図２の補正用メモリ３２の上下方向に対応するメモリアドレスに対応させ、原稿画像１２の画素方向を、補正用メモリ３２の左右方向に対応するメモリアドレスに各々対応させて考えれば、補正用メモリ３２には、原稿画像１２の各ラインの各画素に対応するＲＧＢのデジタル信号が、各画素に直感的に対応した連続するメモリアドレスに書き込まれることになる。